(57)【要約】    【課題】  遊技盤の半製品を多数段積みした際にも、釘取り付け式の風車及び遊技釘の損傷を防止できると共に段積み状態での荷崩れを防止でき、しかも簡単な構造で容易且つ安価に実施できるようにする。    【解決手段】  遊技盤１０の前面に装着され且つ遊技球を遊技領域１３へと案内するガイドレール１２と、遊技盤１０の前面に分散して配置された複数本の遊技釘２０，２１と、遊技領域１３の前面に配置され且つガイドレール１２及び遊技釘２０，２１よりも突出する釘取り付け式の風車１９とを備え、ガイドレール１２と遊技釘２０，２１と風車１９とを装着した状態で遊技盤１０の半製品４５を段積みしたときに、隣接する一方の半製品４５の風車１９と隣接する他方の半製品４５の裏面との干渉を防止する凹部３１を、少なくとも風車１９に対応して遊技盤１０の裏面に備える。【選択図】  図６
2010136757.tif 000002
【特許請求の範囲】
【請求項１】
遊技盤（１０）の前面に装着され且つ遊技球を遊技領域（１３）へと案内するガイドレール（１２）と、前記遊技盤（１０）の前面に分散して配置された複数本の遊技釘（２０，２１）と、前記遊技領域（１３）の前面に配置され且つ前記ガイドレール（１２）及び前記遊技釘（２０，２１）よりも突出する釘取り付け式の遊技部品（１９）とを備えた弾球遊技機において、前記ガイドレール（１２）と前記遊技釘（２０，２１）と前記遊技部品（１９）とを装着した状態で前記遊技盤（１０）の半製品（４５）を段積みしたときに、隣接する一方の前記半製品（４５）の前記遊技部品（１９）と隣接する他方の前記半製品（４５）の裏面との干渉を防止する凹部（３１）を、少なくとも前記遊技部品（１９）に対応して前記遊技盤（１０）の裏面に備えたことを特徴とする弾球遊技機。
【請求項２】
前記半製品（４５）は遊技基板（１１）に前記ガイドレール（１２）と前記遊技釘（２０，２１）と前記遊技部品（１９）とを装着した状態で、隣接する一方の前記遊技基板（１１）の前記ガイドレール（１２）及び／又は前記遊技釘（２０，２１）を、隣接する他方の前記遊技基板（１１）の裏面に当接させて段積み可能であり、前記凹部（３１）は前記遊技部品（１９）と、前記ガイドレール（１２）及び／又は前記遊技釘（２０，２１）との高さとの差よりも大であることを特徴とする請求項１に記載の弾球遊技機。
【請求項３】
前記遊技部品（１９）は前記遊技基板（１１）に打ち込まれた枢支釘（４０）と、該枢支釘（４０）により枢支された可動体（４１，５１）とを有することを特徴とする請求項２に記載の弾球遊技機。
【請求項４】
前記可動体（４１，５１）は段積み時に前記遊技基板（１１）の裏面に当接する前記ガイドレール（１２）及び／又は前記遊技釘（２０，２１）の高さ以下であり、前記枢支釘（４０）は前記ガイドレール（１２）及び／又は前記遊技釘（２０，２１）の高さよりも大であり、前記凹部（３１）は少なくとも前記枢支釘（４０）の頭部に対応することを特徴とする請求項３に記載の弾球遊技機。
【発明の詳細な説明】
【技術分野】
【０００１】
本発明は、パチンコ機、アレンジボール機その他の弾球遊技機に関し、組み立て工程において遊技盤の半製品を多段に段積みしたときにも、釘取り付け式の遊技部品に加重がかからず半製品を安定的に支持できるようにしたものである。
【背景技術】
【０００２】
パチンコ機等の弾球遊技機の遊技盤は、遊技領域へと遊技球を案内するガイドレールが装着されると共に、遊技領域内に画像表示手段、入賞手段等の遊技部品の他に遊技釘、風車が配置され、遊技釘、風車により遊技領域内を落下する遊技球に変化を与えるようになっている。
【０００３】
この種の遊技盤を製造する場合には、先ず部品装着用の取り付け孔等が形成された遊技基板を製作し、次にその遊技基板にガイドレール、遊技釘、風車を夫々打ち込む。そして、遊技基板にガイドレール、遊技釘、風車が打ち込まれた半製品を多段に段積みし、その状態で次工程へと搬送して遊技領域、その他に所定の部品を夫々装着する。
【０００４】
しかし、従来の一般的な遊技盤では、風車の遊技基板からの突出高さが最大で、遊技釘、ガイドレールの順に低くなっているため、遊技基板にガイドレール、遊技釘、風車が打ち込まれた半製品を多段に段積みした場合に、風車とこの風車から一番遠い位置にある遊技釘とを結ぶ直線を軸に各遊技基板が揺動し傾斜する。このため遊技盤の半製品を数十枚重ねた状態で搬送すると、振動等によって荷崩れする危険がある上、下側になる遊技盤の風車や遊技釘が上側から加わる重量によって屈曲してしまう惧れがある。
【０００５】
そこで、その対策としてガイドレールの突出高さを最も高くして、段積み時にガイドレールが他の遊技盤の裏面に当接するようにしたもの（特許文献１）、遊技盤の四隅に支持脚を起伏自在に設け、段積み時に各支持脚が他の遊技盤の裏面に当接するようにしたもの（特許文献２）等が提案されている。
【特許文献１】特開２００２−１９１７７６号公報
【特許文献２】特開２００８−２１５号公報
【発明の開示】
【発明が解決しようとする課題】
【０００６】
しかし、従来のガイドレールを利用する場合には、ガイドレールの幅を大にする必要があり、ガイドレール自体の製作コストが増える上に、通常のガイドレールは遊技領域の略半周程度であるため、このガイドレールで上側に段積みされた遊技盤を支えるとしても搬送時の振動等による荷崩れを確実に防止することが困難である。
【０００７】
また遊技盤の四隅に支持脚を設ける場合には、段積み状態の遊技盤の荷崩れを防止できるが、段積みのみを目的とした別部品を設ける必要があり、しかも段積みに先立って支持脚を遊技基板に装着しておく必要があって、支持脚の製作コスト、支持脚の装着工数の増加等によって遊技盤全体の製作コストが大幅にアップする問題がある。
【０００８】
本発明は、このような従来の問題点に鑑み、遊技盤の半製品を多数段積みした際にも、風車等の釘取り付け式の遊技部品及び遊技釘の損傷を防止できると共に、段積み状態での荷崩れを防止でき、しかも簡単な構造で容易且つ安価に実施できる弾球遊技機を提供することを目的とする。
【課題を解決するための手段】
【０００９】
本発明は、遊技盤１０の前面に装着され且つ遊技球を遊技領域１３へと案内するガイドレール１２と、前記遊技盤１０の前面に分散して配置された複数本の遊技釘２０，２１と、前記遊技領域１３の前面に配置され且つ前記ガイドレール１２及び前記遊技釘２０，２１よりも突出する釘取り付け式の遊技部品１９とを備えた弾球遊技機において、前記ガイドレール１２と前記遊技釘２０，２１と前記遊技部品１９とを装着した状態で前記遊技盤１０の半製品４５を段積みしたときに、隣接する一方の前記半製品４５の前記遊技部品１９と隣接する他方の前記半製品４５の裏面との干渉を防止する凹部３１を、少なくとも前記遊技部品１９に対応して前記遊技盤１０の裏面に備えたものである。
【発明の効果】
【００１０】
このような構成の本発明によれば、遊技盤１０の半製品４５を多数段積みした際にも、風車１９等の釘取り付け式の遊技部品１９及び遊技釘２０，２１の損傷を防止できると共に、段積み状態での半製品４５の荷崩れを防止でき、しかも凹部３１を設ければよいので、構造的にも簡単であり容易且つ安価に実施できる利点がある。
【発明を実施するための最良の形態】
【００１１】
以下、本発明の実施形態を図面に基づいて詳述する。図１〜図６は本発明をパチンコ機に採用した第１の実施例を例示する。図１は遊技機本体１を、図２は遊技盤１０を夫々示し、図３及び図４は遊技盤１０の半製品４５を、図５は半製品４５の段積み状態を、図６は図５の要部を夫々示す。
【００１２】
図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１３】
前面板６の前側には発射用の遊技球を貯留する球供給皿８が配置され、その側方に遊技球を発射する発射手段（図示省略）の発射ハンドル９が設けられている。ガラス扉５の裏側には、このガラス扉５に対応するように前枠４に遊技盤１０（図２参照）が着脱自在に装着されている。
【００１４】
遊技盤１０はベニヤ板等の合板により構成された遊技基板１１を備え、この遊技基板１１の前面に図２に示すように、発射手段（図示省略）から発射された遊技球を案内する内外一対のガイドレール１２が略円弧状に配置されると共に、そのガイドレール１２の内側の遊技領域１３に画像表示手段１４、普通図柄始動手段１５、特別図柄始動手段１６、大入賞手段１７、普通入賞手段１８及び風車１９等の各種の遊技部品が配置されると共に、それらの間に多数の遊技釘２０，２１が分散して配置されている。
【００１５】
遊技基板１１には、図３、図４に示すように遊技領域１３の主要部分を占める画像表示手段１４用の取り付け孔２２が形成され、この取り付け孔２２とガイドレール１２との間が、遊技領域１３の上部側から下部側のアウト球口２３に至る球落下領域２４となっている。球落下領域２４には画像表示手段１４、普通図柄始動手段１５、特別図柄始動手段１６、大入賞手段１７、普通入賞手段１８用の取り付け孔２５〜２８が設けられ、また遊技基板１１の裏面には風車１９に対応して凹部３１が設けられている。
【００１６】
画像表示手段１４は表示窓を有する飾り枠２９と、表示窓に対応して飾り枠２９の裏側に配置された液晶式等の画像表示部３０とを備え、遊技基板１１に形成された取り付け孔２２に対応してその前面に飾り枠２９が、裏面に画像表示部３０が夫々装着されている。なお、画像表示手段１４は、飾り枠２９に画像表示部３０を装着した状態で、遊技基板１１の取り付け孔２２に画像表示部３０を前側から嵌合させながら取り付けるようにしてもよい。
【００１７】
遊技基板１１には遊技領域１３の取り付け孔２２，２５〜２８を除く部分に、落下する遊技球を案内し又は落下方向を変化させるための多数の遊技釘２０が配置されると共に、球落下領域２４側の遊技釘２０から離れた位置、例えば画像表示手段１４用の取り付け孔２２に対して球落下領域２４と反対側の端部に段積み時の支持用の遊技釘２１が、上部に別の遊技釘２０が配置されている。
【００１８】
なお、遊技基板１１は画像表示手段１４の大型化に伴ってその取り付け孔２２が遊技領域１３の主要部分を占めるため、取り付け孔２２の側縁部３２及び上縁部３３側の幅が狭くなっている。
【００１９】
特別図柄始動手段１６は固定式入賞口３４と電動チューリップ等の可変式入賞口３５とを上下に備え、また大入賞手段１７は大入賞口３６を開閉する開閉板３７を備え、普通入賞手段１８は複数個の普通入賞口３８を備えている。そして、普通図柄始動手段１５、特別図柄始動手段１６、大入賞手段１７、普通入賞手段１８は後部が取り付け孔２５〜２８に嵌合して遊技基板１１の前面に装着されている。
【００２０】
ガイドレール１２はステンレス帯板等により構成され、遊技基板１１に近接又は当接して図外の釘により遊技基板１１に固定されている。遊技釘２０，２１は図６に示すように遊技基板１１に前面側から打ち込まれており、この遊技釘２０，２１の遊技基板１１の前面から頭部２０ａ，２１ａの先端までの突出高さｈ１は略同一であって、ガイドレール１２の突出高さｈ２よりも若干大になっている。
【００２１】
風車１９は釘取り付け式の遊技部品である回転式障害手段を構成するもので、遊技基板１１に前面から打ち込まれた枢支釘４０と、この枢支釘４０により回転自在に枢支された回転体４１とを備え、遊技球が接触したときに回転体４１が枢支釘４０廻りに回転する等して遊技球の落下方向を変化させるようになっている。回転体４１は枢支釘４０に回転自在に套嵌されたボス部４２と、このボス部４２の前端に略同心状に一体形成された鍔部４３と、ボス部４２と鍔部４３とに跨がってボス部４２の外周に放射状に一体形成された複数枚（例えば３枚）の羽根部４４とを備えている。
【００２２】
枢支釘４０の遊技基板１１の前面から頭部４０ａの先端までの突出高さｈ３は、遊技釘２０，２１の突出高さｈ１よりも大である。また回転体４１は枢支釘４０に対して前後方向に僅かに摺動可能であり、回転体４１の後端が遊技基板１１の前面に当接したときの、遊技基板１１の前面から回転体４１の前端までの寸法ｈ４は、遊技釘２０，２１の突出高さｈ１よりも若干小さくなっている。
【００２３】
従って、遊技盤１０の製作工程において、遊技基板１１にガイドレール１２、風車１９、遊技釘２０，２１を取り付けた状態の半製品４５を、そのガイドレール１２、風車１９、遊技釘２０，２１が上側になるように水平状態に置いた場合には、風車１９の枢支釘４０の頭部４０ａが遊技釘２０，２１よりも若干突出することになる。
【００２４】
遊技基板１１の裏面は前面の遊技釘２０，２１に対応する部分が平坦状であり、前面の風車１９に対応する部分に凹部３１が形成されている。この凹部３１の深さは枢支釘４０と遊技釘２０，２１との突出高さｈ１，ｈ３の差（ｈ３−ｈ１）よりも大であり、また枢支釘４０の頭部４０ａの直径よりも大きくなっている。
【００２５】
このため半製品４５であるガイドレール１２、風車１９、遊技釘２０，２１を取り付けた状態の遊技基板１１を同一方向に揃えて上下方向に段積みする場合には、隣接する一方の遊技基板１１の枢支釘４０の頭部４０ａが隣接する他方の遊技基板１１と干渉しないように裏面の凹部３１に対応し、隣接する一方の遊技基板１１の遊技釘２０，２１の頭部２０ａ，２１ａが隣接する他方の遊技基板１１の裏面に当接することになる。
【００２６】
なお、凹部３１は遊技基板１１を段積みする場合に隣接する遊技基板１１間で多少の位置ずれがあることを考慮して、許容範囲内での位置ずれ程度では一方の遊技基板１１の枢支釘４０が他方の遊技基板１１の裏面に接触しないだけの大きさを有し、回転体４１の鍔部４３の直径よりも小さくなっている。
【００２７】
遊技基板１１の裏面は遊技釘２０，２１に対応する部分の全体が平坦状になっているが、遊技基板１１の裏面に部品装着用の凹部があり、その凹部に嵌合するようにケース、カバー等の裏部品を装着するような場合には、支持用の遊技釘２１を除く一部の遊技釘２０に対応して部品装着用の凹部を設けてもよい。従って、遊技釘２０，２１により段積み状態の半製品４５を安定的に支持できるならば、一部の遊技釘２０に対応する部分に他の凹部等があってもよく、多数の遊技釘２０に対応する全域が平坦状である必要はない。
【００２８】
遊技盤１０の製造に際しては、取り付け孔２２，２５〜２８、凹部３１が加工された遊技基板１１の前面にガイドレール１２、風車１９及び遊技釘２０，２１を取り付ける。そして、遊技基板１１にガイドレール１２、風車１９、遊技釘２０，２１を取り付けた半製品４５の状態で、図５に示すようにガイドレール１２、遊技釘２０，２１、風車１９を上側にしてキャリヤー等に段積みし、保管又は次工程に搬送する。
【００２９】
この場合、次工程での作業性を考慮して各遊技基板１１は同一方向に揃えた状態で段積みするので、図６に示すように下側の遊技基板１１の風車１９と、上側の遊技基板１１の裏面の凹部３１とが上下に相対応する。このため風車１９の枢支釘４０の突出高さｈ３が遊技釘２０，２１の突出高さｈ１よりも大であるにも拘わらず、下側の遊技基板１１の風車１９の枢支釘４０が上側の遊技基板１１の裏面に当接するようなことはなく、上側の遊技基板１１の裏面に下側の遊技基板１１の支持用の遊技釘２１を含む遊技釘２０，２１の先端に当接する。
【００３０】
従って、下側の遊技基板１１の支持用の遊技釘２１を含む多数の遊技釘２０，２１により上側の遊技基板１１を安定的に支持することができ、数十枚の遊技基板１１を段積みした場合にも、従来のように搬送時に荷崩れを招くようなこともないし、上側の遊技基板１１等の重量によって下側の遊技基板１１の風車１９、遊技釘２０，２１等が屈曲したりする惧れもない。
【００３１】
また遊技基板１１の前面の風車１９に対応して遊技基板１１の裏面に凹部３１を形成すればよいので、構造的にも非常に簡単である上に、遊技基板１１に画像表示手段１４等の遊技部品用の取り付け孔２２，２５〜２８を加工する際に、その加工に続いてルータ加工機等により凹部３１を加工することができ、容易且つ安価に実施することができる。
【００３２】
しかもこの風車１９の場合には、回転体４１の寸法ｈ４が遊技釘２０，２１の突出高さｈ１よりも短く、枢支釘４０の突出高さｈ３が遊技釘２０，２１の突出高さｈ１よりも高いので、枢支釘４０の頭部４０ａと干渉しないように凹部３１を形成すればよく、凹部３１の大きさも最小限のものとなり、その加工を容易に行うことができる。
【００３３】
図７は本発明の第２の実施例を例示する。この実施例の風車１９は、回転体４１の前面側の中央部に凹部５０があり、釘打ち機により枢支釘４０の頭部４０ａを掴んで遊技基板１１に打ち込む際に、この凹部３１内で枢支釘４０を掴むようになっている。そして、この回転体４１の遊技基板１１からの突出高さｈ４が、枢支釘４０及び遊技釘２０，２１の遊技基板１１からの突出高さｈ３，ｈ１より高くなっている。この風車１９に対応して遊技基板１１の裏面に形成される凹部３１は、回転体４１の突出高さｈ４と遊技釘２０，２１の突出高さｈ１の差（ｈ４−ｈ１）よりも深く、回転体４１の鍔部４３よりも大きくなっている。他の構成は第１の実施例と同様である。
【００３４】
このように風車１９の回転体４１の突出高さｈ４が遊技釘２０，２１の突出高さｈ１、枢支釘４０の突出高さｈ３よりも大の場合には、遊技基板１１の段積み時に一方の遊技基板１１の回転体４１が他方の遊技基板１１と干渉しないように、その回転体４１の前端部が嵌合し得るだけの凹部３１を遊技基板１１の裏面に設ければよい。
【００３５】
図８は本発明の第３の実施例を例示する。この実施例では、遊技基板１１の段積み時に一方の遊技基板１１のガイドレール１２と支持用の遊技釘２１とが他方の遊技基板１１の裏面に当接して支持するようになっている。ガイドレール１２と、これから離れた位置に配置されている支持用の遊技釘２１との突出高さは略同じであり、ガイドレール１２、遊技釘２０、風車１９の高さ関係は第１の実施例と同じである。
【００３６】
遊技基板１１の裏面には、少なくとも遊技釘２０、風車１９に対応するように凹部３１が形成されている。例えば、この凹部３１は遊技領域１３の略全域にわたる大きさであって、この凹部３１により段積み時の遊技釘２０、風車１９との干渉を避けるようになっている。
【００３７】
このように遊技基板１１を段積みする際に、一方の遊技基板１１のガイドレール１２と支持用の遊技釘２１とにより他方の遊技基板１１を支持する場合には、遊技基板１１の裏面に少なくとも遊技釘２０、風車１９に対応するように凹部３１を設けておけばよい。
【００３８】
図９、図１０は本発明の第４の実施例を例示する。この実施例では、遊技部品として揺動式の障害手段を例示する。この障害手段は枢支釘４０と、この枢支釘４０により揺動自在に枢支された揺動体５１とを備えている。揺動体５１は枢支釘４０に套嵌されたボス部４２と、ボス部４２の前端に設けられた鍔部４３と、ボス部４２の外周から突出する１個又は複数個の翼部５２とを備え、遊技球が接触したときに翼部５２が枢支釘４０廻りに揺動するようになっている。
【００３９】
このような揺動体５１を枢支釘４０で遊技基板１１に取り付けるような遊技部品の場合にも、各実施例と同様に実施可能である。従って、風車１９等の障害手段に限らず釘止め式の遊技部品であれば、他の遊技部品でも同様に実施可能である。
【００４０】
図１１は本発明の第５の実施例を例示する。この実施例の遊技基板１１は透明な合成樹脂材により構成されている。風車１９の取り付け位置には取り付け孔５３が形成され、その取り付け孔５３に風車１９の枢支釘４０を支持する合成樹脂製等の支持体５４が圧入されている。支持体５４の長さは遊技基板１１の厚さよりも短くなっており、取り付け孔５３の後部側が凹部３１を構成するようになっている。なお、支持体５４は外周に係合段部５４ａを有し、その係合段部５４ａが取り付け孔５３の受け部５３ａに当接することにより後方に移動しないようになっている。
【００４１】
このような場合にも、取り付け孔５３の後部側により構成された凹部３１が枢支釘４０の頭部４０ａに対応するので、遊技釘２０，２１と遊技基板１１との干渉を防止することができる。
【００４２】
以上、本発明の各実施例について詳述したが、本発明はこの各実施例に限定されるものではなく、本発明の趣旨を逸脱しない範囲で種々の変更が可能である。例えば、実施例では、遊技盤１０の半製品４５である遊技基板１１を段積みする場合、ガイドレール１２、遊技釘２０，２１、風車１９等を上に向けて順次積み重ねるようにしているが、ガイドレール１２等を下に向けた状態で順次積み重ねてもよい。
【００４３】
また実施例では遊技領域１３の球落下領域２４となる部分に風車１９が１個配置される場合を例示しているが、風車１９は２個以上の複数個でもよい。また球落下領域２４となる部分に複数個の遊技部品を配置する場合、その全てを風車１９とする等、同種の遊技部品でもよいし、異種の遊技部品でもよい。
【００４４】
遊技部品は遊技基板１１に釘で取り付けるものであれば、遊技領域１３の外側に配置されるものでもよい。また遊技釘２０，２１等の釘打ち後に遊技基板１１を段積みするまでの段階で遊技基板１１に取り付けられる遊技部品であって、その遊技部品の突出高さが遊技釘２０，２１等の突出高さよりも高い場合は、その遊技部品に対応して遊技基板１１の裏面に凹部３１を設けてもよい。枢支釘４０で枢支する対象は、回転体４１、揺動体５１等を含む可動体を備えたものであればよい。また遊技部品は風車１９等の可動式に限らず、遊技基板１１に対して取り付け釘で取り付ける釘取り付け式であれば固定式のものでもよい。
【００４５】
遊技基板１１の裏面の凹部３１はルータ加工機で加工する場合には円形状が望ましいが、円形以外の形状でもよい。また対応して凹部３１を設ける必要のある遊技部品が複数の場合、遊技部品毎に独立して凹部３１を設けてもよいし、複数の各遊技部品に対応するように連続状に１個又は複数個の凹部３１を設けてもよい。透明な合成樹脂材等により遊技基板１１を構成する場合には、金型による遊技基板１１の成型時に凹部３１を成型してもよい。
【００４６】
取り付け釘で遊技基板１１に遊技部品を取り付ける場合、先端が尖った釘を使用するのが一般的であるが、ネジ式の釘（ネジ釘）等を使用してもよい。遊技盤１０の半製品４５である遊技基板１１を段積みする場合には、実施例に例示するように一方の遊技基板１１のガイドレール１２又は遊技釘２０，２１を他方の遊技基板１１の裏面に当接させるようにする他、多数の遊技釘２０，２１の内、その一部又は全部の遊技釘２０，２１を高くし、その高い遊技釘２０，２１とガイドレール１２との高さを同じにして、遊技釘２０，２１とガイドレール１２とを当接させるようにしてもよい。
【００４７】
その他、アレンジボール機、雀球遊技機等の各種の弾球遊技機においても同様に実施可能であることは云うまでもない。
【図面の簡単な説明】
【００４８】
【図１】本発明の第１の実施例を示すパチンコ機の斜視図である。
【図２】同遊技盤の正面図である。
【図３】同遊技基板の正面図である。
【図４】同遊技基板の背面図である。
【図５】同遊技基板の段積み状態の説明図である。
【図６】同遊技基板の段積み状態の要部の拡大図である。
【図７】本発明の第２の実施例を示す要部の断面図である。
【図８】本発明の第３の実施例を示す段積み状態の説明図である
【図９】本発明の第４の実施例を示す遊技盤の要部の正面図である。
【図１０】同遊技盤の要部の断面図である。
【図１１】本発明の第５の実施例を示す要部の断面図である。
【符号の説明】
【００４９】
１０  遊技盤
１１  遊技基板
１２  ガイドレール
１３  遊技領域
１９  風車（遊技部品）
２０，２１  遊技釘
３１  凹部
４０  枢支釘
４１  回転体（可動体）
４５  半製品
５１  揺動体（可動体）
【図１】
2010136757.tif 000003
【図２】
2010136757.tif 000004
【図３】
2010136757.tif 000005
【図４】
2010136757.tif 000006
【図５】
2010136757.tif 000007
【図６】
2010136757.tif 000008
【図７】
2010136757.tif 000009
【図８】
2010136757.tif 000010
【図９】
2010136757.tif 000011
【図１０】
2010136757.tif 000012
【図１１】
2010136757.tif 000013